(57)【要約】【課題】携帯に適した小サイズで、アロマセラピー等としての効果を発揮できる程度の香りを、長期間安定して発散し続けることができる携帯用芳香剤を提供する。【解決手段】平均孔径１００μｍ以下の連通孔を有する疎水性骨格の外表面に保護層が形成されている硬質多孔体に、液状香料が含浸されてなる芳香剤本体と、前記芳香剤本体を収納する収納容器と、該収納容器が受ける衝撃を吸収する耐油性緩衝部材とを備え、前記収納容器は、芳香剤本体が外気と接するための開口部が開設され、且つ前記芳香剤本体を前記緩衝部上に当接固定する付圧手段を有している。【選択図】  図１
2005040207.tif 000002
【特許請求の範囲】
【請求項１】
平均孔径１００μｍ以下の連通孔を有する疎水性骨格の外表面に保護層が形成されている硬質多孔体に、液状香料が含浸されてなる芳香剤本体と、
前記芳香剤本体を収納する収納容器と、
該収納容器が受ける衝撃を吸収する耐油性緩衝部材とを備え、
前記収納容器は、芳香剤本体が外気と接するための開口部が開設され、且つ前記芳香剤本体を前記緩衝部上に当接固定する付圧手段を有している携帯用芳香剤。
【請求項２】
前記収納容器は、収納部と蓋部とからなり、
前記収納部底面に、前記耐油性緩衝部材が敷設されていて、
前記蓋部に、前記付圧手段としての凸部が取付けられ、且つ前記開口部が開設されている請求項１に記載の携帯用芳香剤。
【請求項３】
前記硬質多孔体の気孔率は４０〜８０％である請求項１又は２に記載の携帯用芳香剤。
【請求項４】
前記保護層は、前記疎水性骨格構成成分と一部の元素が共通する化合物で構成され、該疎水性骨格から該保護層へ組成が傾斜的に変化している請求項１〜３のいずれかに記載の携帯用芳香剤。
【請求項５】
前記保護層は、親水性化合物で構成されている請求項１〜４のいずれかに記載の携帯用芳香剤。
【請求項６】
前記親水性化合物は酸化チタンである請求項５に記載の携帯用芳香剤。
【請求項７】
前記硬質多孔体は、２種以上の無機粉末からなる成形体を、空気中又は酸化性雰囲気中で燃焼合成反応させることにより製造されたものである請求項４〜６のいずれかに記載の携帯用芳香剤。
【請求項８】
前記硬質多孔体は、チタン粉末と炭素粉末を空気中又は酸化性雰囲気中で燃焼合成反応させることにより製造されたものである請求項６に記載の携帯用芳香剤。
【発明の詳細な説明】
【０００１】
【発明の属する技術分野】
本発明は、エッセンシャルオイル等の液状香料の香りを長期間持続する芳香剤で、服装のポケットに入れたり、あるいはバッグ等の装身具に入れて持ち歩いたり、アクセサリーとして身体に装着することができる携帯用芳香剤に関する。
【０００２】
【従来の技術】
近年、アロマセラピーやアロマコロジーとして、精油のもつ抗菌作用や抗炎症作用等の薬理作用が注目されている。アロマセラピーやアロマコロジーとしての精油の使い方は、マグカップ等にはったお湯に精油を１〜２滴たらして、芳香成分を含む蒸気を吸い込んだり、精油をいれたお湯にコットンを浸した後、軽く絞ったコットンを目元や鼻の近くに置くという方法が一般的である。このような使い方は、使用する場所や時期が限定されるため、外出先で必要に応じて、香りを嗅ぐことができる携帯用芳香剤が求められている。
【０００３】
携帯用芳香剤としては、従来より、匂い袋と称するものが代表的である。これは、ポプリや粉末状香料を布製袋に収納したものであるが、液状香料と異なり、芳香成分の蒸散が少ないため、単に香りを楽しむ程度であればよいが、アロマセラピー用のように、ある程度の濃度の芳香成分でしか効果を発揮できない用途には役立たない。また、アロマセラピーや嗜好用に、複数の香りをブレンドしたオーダーメイドの香りを携帯したい場合、固形の芳香成分で配合しても、芳香性の差異から、所望の香りを作ることは難しい。
【０００４】
このような事情から、エッセンシャルオイルをはじめとする液状香料を、携帯できるサイズの担体に含浸させた取扱い簡単な携帯用芳香剤が求められている。
【０００５】
液状香料を使用した携帯用芳香剤としては、例えば、特許文献１に、液状芳香剤を充填した綿、ウレタン、木等の浸透性材を、芳香用穴を開設した容器に収納したものが提案されている。また、特許文献２には、香りを放出する細い通気孔を開設したカプセル容器に、芳香液を染みこませたスポンジ状発泡体を収納した芳香カプセルが提案されている。この芳香カプセルは、通気孔の一部を塞ぐような凹部にはめ込んで用いられる。
【０００６】
特許文献３には、毛細管通路を形成した芳香液保水部を有するスティックで、保水部と連通する芳香口部が外表面に設けられている芳香口部を有する多孔質体からなる芳香スティックが提案されている。しかし、その芳香口部から適度に芳香され、外圧等が作用しても必要量以上に芳香されないような具体的部材又は具体的材料については一切開示されていない。
【０００７】
【特許文献１】
特開２００１−３３３９７０号
【特許文献２】
特開２０００−１８５０８９号
【特許文献３】
特開２００２−３０６２３８号
【０００８】
【発明が解決しようとする課題】
液状香料を使用した携帯用芳香剤としては、効果を発揮できる程度に芳香成分を揮散でき、しかも芳香成分が劣化することなく、芳香期間を長期持続することが求められる。
【０００９】
しかし、綿等の浸透性材やスポンジは、いずれも外気と接触する表面積が大きく、芳香液の揮発速度が速い。このことは、芳香持続期間が短くなるというだけでなく、希釈していないエッセンシャルオイルを用いると、単位時間あたり嗅覚細胞に受容される芳香化合物が多くなることを意味し、好適なアロマセラピー効果を発揮できないことになる。希釈オイルを用いて適切なアロマセラピー効果を得ることは可能であるが、含浸できる液量は容積で決まることとの関係から、芳香持続期間が益々短縮されるだけである。従って、容器の芳香用穴を小さくすることによって、香りの持続性を調節するしかない。
【００１０】
一方、小サイズでできるだけ多量の液状芳香剤を含浸させるためには、空孔度が高い多孔体を使用する必要がある。ところが、外部に連通する空孔の占有割合（空孔度）が高い多孔質体は揮発表面積が大きい多孔質体でもあるため、外気と接する容器の開口面積を小さくせざるを得ない。しかし、小さな開口部は、すでにスポンジ等の多孔体から揮発した芳香成分が容器内壁面等に付着した状態で容器外へ放出されることが抑制されているだけの状態であるため、担体に含浸されているときよりも空気や光にさらされた状態となっており、芳香成分の劣化が速くなる。芳香成分の経時劣化は、単に香りが初期と異なるということに留まらず、アロマセラピー用の場合には薬理効果の低下、ひどい場合には、携帯者に吸引される芳香成分量が香水やオーデコロン等の場合と比べて高いことと相まって有毒にさえなることもある。
【００１１】
本発明はこのような事情に鑑みてなされたものであり、その目的とすることろは、携帯に適した小サイズで、アロマテラピー等としての効果を発揮できる程度の香りを、長期間安定して発散し続けることができる携帯用芳香剤を提供することにある。
【００１２】
【課題を解決するための手段】
本発明の携帯用芳香剤は、平均孔径１００μｍ以下の連通孔を有する疎水性骨格の外表面に保護層が形成されている硬質多孔体に、液状香料が含浸されてなる芳香剤本体と、前記芳香剤本体を収納する収納容器と、該収納容器が受ける衝撃を吸収する耐油性緩衝部材とを備え、前記収納容器は、芳香剤本体が外気と接するための開口部が開設され、且つ前記芳香剤本体を前記緩衝部上に当接固定する付圧手段を有している。
【００１３】
前記収納容器は、収納部と蓋部とからなり、前記収納部底面に、前記耐油性緩衝部材が敷設されていて、前記蓋部に、前記付圧手段としての凸部が取付けられ、且つ前記開口部が開設されていることが好ましい。また、前記硬質多孔体の気孔率は４０〜８０％であることが好ましい。
【００１４】
前記保護層は、前記疎水性骨格構成成分と一部の元素が共通する化合物で構成され、該疎水性骨格から該保護層へ組成が傾斜的に変化していることが好ましく、また前記保護層は、親水性化合物、特に酸化チタンであることが好ましい。
【００１５】
親水性化合物からなる保護層が形成している場合、前記硬質多孔体は、２種以上の無機粉末からなる成形体を、空気中又は酸化性雰囲気中で燃焼合成反応させることにより製造されたものであることが好ましく、特に、チタン粉末と炭素粉末を空気中又は酸化性雰囲気中で燃焼合成反応させることにより製造されたものであることが好ましい。
【００１６】
【発明の実施の形態】
本発明の携帯用芳香剤の一実施形態について、図１に基づいて説明する。
１は芳香剤本体であり、外部に連通する平均孔径１００μｍ以下の気孔を有する硬質多孔体２の気孔部分３に、液状香料を含浸させたものである。この芳香剤本体１は、芳香剤本体１の見掛けの体積よりも大きい容積を有する収納容器１０内で、該容器１０底面に敷設した緩衝部材２０上に、固定された状態で収納されている。
【００１７】
硬質多孔体２は、三次元網目構造の疎水性骨格２ａ間隙が外部に連通する気孔３となっているセラミックスで、外表面には保護層２ｂが形成されている。液状香料は、精油に代表されるように一般的に油性であるから、疎水性骨格２ａになじんで、毛細管現象により硬質多孔体２の内部にまで含浸されるとともに、疎水性骨格２ａで捕捉されたような状態となって充填されているので、振動や外圧等が加えられても漏出することがない。
【００１８】
本発明で使用する硬質多孔体２の気孔３の平均孔径を１００μｍ以下とする理由は、１００μｍを超えると、液状の芳香物質の捕捉が困難になり、外圧、振動等によっては漏出するおそれがあるからである。また、気孔率は４０〜８０％程度であることが好ましい。小サイズで十分量のオイルを含浸させるためには、気孔率は大きいほど好ましい反面、気孔率８０％を超えると、硬質多孔体２の外形を保持することが困難となるからである。
【００１９】
疎水性骨格２ａを構成するセラミックスとしては、炭化チタン、炭化ハフニウム等の炭化物；窒化ケイ素、窒化アルミニウム、窒化チタン等の窒化物セラミックスが挙げられる。
このような疎水性骨格２ａは、特開平２００３−５５０６３号に開示されている燃焼合成法により、容易に製造することができる。
【００２０】
高気孔率の硬質多孔体２の骨格を形成している疎水性骨格２ａ、特に前述の燃焼合成法で製造される疎水性骨格２ａは、機械的強度が低く、擦過、衝撃により欠けやすい。保護層２ｂは、気孔３の外部に連通している開口部分を塞がないように疎水性骨格２ａの外表面部分を覆うことで、疎水性骨格２ａの欠けを防止している。
【００２１】
保護層２ｂの構成物質は、耐欠け、耐擦過性が疎水性骨格２ａよりも高いものであればよいが、好ましくは、酸化チタン、酸化ケイ素等の親水性に優れた酸化物セラミックスである。親水性の保護層２ｂは、空気中の湿分を捕捉して、硬質多孔体表面に薄い水膜を形成する役割を果たし、硬質多孔体２内部に充填された液状香料の揮発速度、特に、揮発しやすい芳香成分の揮散が抑制し、複数の芳香成分が混合された液状香料を用いた場合でも、長期間にわたって所期の香りを持続することに寄与し得るからである。また、保護層２ｂが酸化チタン層の場合、水分子吸着による芳香物質の揮発抑制だけでなく、酸化チタンが本来有する光触媒機能に基づく効果も期待できる。例えば、抗菌作用により雑菌混入による香りの変質防止効果を期待できる。
【００２２】
保護層２ｂと疎水性セラミックス骨格２ａとの接合方法は、特に限定しないが、両者の接合強度の観点から、保護層２ｂと疎水性セラミックス骨格２ａの構成元素の一部が共通し、傾斜的に組成が変化していることが好ましい。
【００２３】
疎水性骨格２ａから親水性保護層２ｂが傾斜的に組成変化した硬質多孔体２は、２種以上の無機粉末の混合物からなる成形体を、空気中又は酸化性雰囲気中で燃焼合成反応させることにより、容易に製造することができる。すなわち、０．１〜１００ミクロン程度の無機粉末を混合し、最終成型品に該当する柱状体、球状体、直方体、円盤状、板状等に成形し、放電、レーザー照射、カーボンヒーター等により着火して、成形体を局部的に加熱することによって燃焼合成反応を開始させればよい。
【００２４】
使用する粉末としては、最終的に得ようとするセラミックス材料に応じて適宜選択すればよいが、具体的には、反応させようとする一方の粉末には、チタン、ジルコニウム、及びハフニウム等の金属を用いることが好ましい。また他方の粉末には、ホウ素、炭素、ケイ素等の非金属粉末又は窒化硼素、窒化ケイ素等のこれらの化合物、又はホウ化アルミニウム、炭化アルミニウム等のこれらの非金属と金属の化合物粉末を用いることが好ましい。
【００２５】
例えば、チタン粉末とカーボン粉末からなる混合粉末の成形体を空気中又は酸化性雰囲気中で燃焼合成反応させた場合、表面に酸化チタンセラミックス層が形成され、内部は炭化チタンとなり、炭化チタン部分から酸化チタン層へ傾斜的に変化していく硬質多孔体を得ることができる。
【００２６】
液状香料としては、植物の枝葉、根、木皮、幹、花、つぼみなどから得られる揮発性の油で、精油（エッセンシャルオイル）と称される天然植物香料の他、動物性香料、合成香料をアルコール、エーテル等の有機溶剤に溶解させたものを用いることができる。精油の採取法は、水蒸気蒸留法、圧搾法、抽出法、油脂吸着法、溶剤抽出法など、特に限定しない。具体的には、オレンジ油、レモン油、ライム油、ブチグレン油、ユズ油、ネロリ油、ベルガモット油、ラベンダー油、ラバジン油、アビエス油、ベイ油、イランイラン油、サンダルウッド油、ラブダナム油、シトロネラ油、ゼラニウム油、ペパーミント油、ハッカ油、スベアミン油、ユーカリ油、レモングラス油、バチュリ油、ジャスミン油、ローズ油、シダー油、ベチバー油、ガルバナム油、オークモス油、バイン油、樟脳油、白檀油などが挙げられる。動物性香料としては、じゃ香、霊猫香などが挙げられる。合成香料としては、リナロール、ゲラニオール、シトロネロール、ｌ−メントール、ボルネオール、β−フェニルエチルアルコール、ｎ−ノニルアルデヒド、シトラール、シンナミックアルデヒド、リリアール、バニリン、カンファー、ヨノン、エチレンブラシレート、ガラクソリド、酢酸リナリルなどが挙げられる。これらの香料は、目的、好みに応じて、一種又は２種以上組合わせて用いることができる。
【００２７】
以上のような構成を有する芳香剤本体１は、スポイト等で直接硬質多孔体２に液状香料を滴下すると、毛細管現象により液状香料が内部にまで充填される。従って、気孔率の高い硬質多孔体２を用いると、サイズと気孔率でほぼ決まる空孔容積に相当する量の液状香料を含浸させることが可能となり、小サイズで、多量の液状芳香剤を含浸させることができる。
【００２８】
次に、芳香剤本体１を収納する容器１０について説明する。
本実施形態で使用する収納容器１０は、収納部１１と該収納部１１に脱着可能な蓋部１２とからなり、収納部１１の底面に耐油性の緩衝部材２０が敷設されてる。蓋体１２の中央部には、外気と接触できる開口部１３が開設されているとともに、この開口部１３は、十字状の架橋部１４が形成され、架橋部１４の十字の中心に、付圧用凸部１５が形成されている。この付圧用凸部１５の高さは、容器内高さＨから、緩衝部材２０の厚みａ、芳香剤本体１の厚みｂを差し引いた空間高さｈ（ｈ＝Ｈ−ａ−ｂ）よりもやや大きく、凸部１５の先端が芳香剤本体１を押圧することにより、芳香剤本体１を緩衝部材２０上に押しつけ固定している。付圧用凸部１５の先端部分は、硬質多孔体２に局所的に力がかからないように、また摺動時に鋭利なひっかき傷をつくらないように、曲面となっていることが好ましい。
【００２９】
芳香剤本体１を容器１０内で、緩衝部材２０上に固定することにより、単に芳香剤本体１０が携帯時に動いてガタガタと音がするのを防止するだけでなく、携帯用芳香剤を落としたり、ぶつけたりしたときであっても、芳香剤本体１が受ける衝撃を緩和するとともに、芳香剤本体１と容器１０の内壁面との摺動を防止できる。このことは、保護層２ｂを保護し、ひいては耐擦過性、耐衝撃性が低い疎水性骨格２ａの損傷、破壊を防止することになる。すなわち、保護層２ｂと骨格２ａとの接合面積が極めて小さく且つ化学的結合が弱いため、気孔率が大きくなるほど、摩擦、衝撃により保護層２ｂが剥がれ落ちやすくなる。保護層２ｂの脱落による耐衝撃性、耐擦過性が低い疎水性骨格２ａが露出すると、外部からの衝撃、擦過により欠けが促進され、硬質多孔体２の徐放機構が崩壊するだけでなく、欠けにより生じた粉末が飛散することになるからである。
【００３０】
蓋部１２は、螺合により蓋をするタイプであってもよいし、嵌合により蓋をするタイプであってもよいし、収納部１１と一体化した部分がヒンジとなって開閉するタイプであってもよい。
【００３１】
緩衝部材２０は、収納容器１０が受ける衝撃が芳香剤本体１に伝播しないように、ダンピング機能を有するクッション性を有するもので、芳香剤本体１から滲出される液状香料により劣化しない耐油性に優れた材料が用いられる。具体的には、ポリスチレンフォーム、ポリウレタンフォーム、耐油性ゴムなどが用いられる。
【００３２】
開口部１３は、芳香剤本体１から放出される芳香成分を外部へ放出するための開口部分であるが、保護層２ｂが親水性物質で構成されている場合、芳香剤本体１の表面に水分子の薄膜を形成するための湿分取り入れ用開口部にもなる。開口部１３の面積（蓋部における開口部の占有割合）は、芳香剤本体１に使用する硬質多孔体２の気孔率、含浸する液状香料の揮散の程度、使用者の好み、使用目的等に応じて適宜調節される。
【００３３】
以上のような構成を有する本実施形態の携帯用芳香剤は、収納容器１０、保護層２ｂといった二重の耐衝撃、耐擦過防止機構により、液状香料を保持する疎水性骨格２ａの芳香成分保持機構を安定に維持する。よって、含浸された液状香料は長期間、劣化することなく、所期の香りを徐放し続けることができる。また、保護層２ｂを親水性化合物で構成することにより、高気孔率の硬質多孔体を用いるときであっても徐放性を高めて長期の芳香持続期間、液状香料の品質保持を確保することが可能となる。
【００３４】
本発明に使用する芳香剤本体１は破壊、破損しない限り、永続的に使用可能である。よって、香りが減退し、不十分になったと感じたら、適宜蓋をあけ、スポイト等を用いて、液状香料を直接硬質多孔体２に滴下すればよい。液状香料は毛細管現象により内部に含浸されていくので、再び、所期の香りを楽しむことができる。また、滴下の際に硬質多孔体２から緩衝部材２０上にこぼしたりしても、液状香料は緩衝部材２０上に含浸される。含浸されずに流延した場合でも、毛細管現象により多孔性セラミックス２内に吸収されることができるので、追加注入時の取扱いが簡単である。
【００３５】
尚、上記実施形態において、収納容器１０の開口部１３は、蓋部１２の中央部に開設された１箇所の穴であったが、本発明はこれに限定されず、２カ所以上開設されていてもよいし、図２に示すように格子状に開設されていてもよい。必要とする開口面積等に応じて適宜選択すればよい。開口面積が大きい場合であっても、表面に形成される水膜により、液状香料が空気に直接曝露されることを抑制しているので、従来の多孔性担体と比べて、芳香成分の劣化が抑制される。
【００３６】
また、付圧手段は、上記実施形態では、開口部１３に架設された十字状架設部１４の中心に設けられた凸部１５であったが、本発明はこれに限定しない。緩衝部材２０上に芳香剤本体１を当接固定できるように付圧できる構造であればよく、バネ等の弾性部材を利用してもよいし、凸部を適宜箇所に２カ所以上設けてもよい。
【００３７】
さらに、上記実施形態の収納容器１０では、蓋部１２が脱着可能又は開閉可能なものであったが、蓋部と容器本体が一体的に形成されたものであってもよい。液状香料を追加注入したい場合、蓋をしたまま開口部よりスポイト等を用いて充填すればよい。
【００３８】
またさらに、本発明の携帯用芳香剤における芳香剤本体及び容器の形状は、図１のような円盤状に限定されない。本発明では付圧手段により芳香剤本体を容器内で保持固定しているので、芳香剤本体のサイズに応じた同形状の容器を用いる必要がない。従って、円盤状といった単純な芳香剤本体と、星や花を形どった複雑な形状を有する容器の組合わせも可能となるので、ネックレスやブローチ、キーホルダーなどのアクセサリーとして携帯するときは、意匠的工夫が施された容器を使用し、芳香剤本体はその容器内に収納できる形状とすればよい。
さらにまた、芳香剤本体を構成する硬質多孔体は疎水性骨格の外表面に保護層が形成されたものであればよく、例えば、セラミックス繊維やカーボン繊維等を絡み合わせてなる多孔質体表面に保護層を形成したものであってもよい。
【００３９】
【実施例】
実施例１：
チタン粉末：カーボン粉末が１：０．９（モル比）である混合粉末を金型に充填し、プレス成形して直径２０ｍｍ×厚さ５ｍｍの円盤状の成形体を得た。空気中で、その成形体表面の一部をＹＡＧレーザーで着火したところ、燃焼波が進行して、燃焼合成反応が約３秒で完了し、炭化チタンで、表層が酸化チタンとなっている硬質多孔体が得られた。この硬質多孔体は、平均的に１０〜２０μｍ程度のサイズの外部に連通する気孔を有する相対密度４５％（気孔率５５％）であった。この多孔質体に、アロマオイル１ｃｃを滴下して、芳香剤本体とした。
【００４０】
比較例１：
多孔質体として、台所用スポンジとして市販されている連続気泡構造のスポンジ（軟質ポリウレタンフォーム）を、直径２０ｍｍ×厚さ５ｍｍの円盤状に切り取り、これにアロマオイル１ｃｃ滴下して、芳香剤本体とした。
【００４１】
比較例２：
多孔質体として、素焼きの植木鉢破片を使用し、これにアロマオイル１ｃｃ滴下して、芳香剤本体とした。
【００４２】
比較例３：
実施例１と同様の方法で作製した表層が酸化チタンの硬質多孔体表面を、目の荒い布で擦ることによって酸化チタン層を取り除いた芳香剤本体を得た。酸化チタン層の除去は、表層の白色部分がなくなって、下層の炭化チタンの黒色層が表出するまで擦ることによって行った。
【００４３】
〔測定評価〕
（１）オイルの蒸散性
上記で作製した実施例１及び比較例１〜３の芳香剤本体を、室温下で放置し、嗅いだときにアロマオイルの臭いが感じられなくなるまでの順番を調べた。参考のために、ガラス板上にアロマオイル１ｃｃ滴下したものについても蒸散性を調べた。
ガラス板、比較例２、比較例１の順番で、臭いがしなくなり、比較例３及び実施例１は２ヶ月異常放置しても臭いを保持していた。
【００４４】
次に、図１に示す構成を有する収納容器（サイズ：径２５ｍｍ×高さ１０ｍｍ、円形開口部径７ｍｍ）内に、緩衝部材として独立気泡タイプの発泡体である発泡ポリスチレンシート（厚み２ｍｍ）を敷設し、その上に比較例１又は実施例１の芳香剤本体を収納して、比較例１及び実施例１をそれぞれ芳香剤本体とする携帯用芳香剤を作製した。これらの携帯用芳香剤について、４０℃、湿度６０％の雰囲気中で放置したところ、比較例１の携帯用芳香剤の方が、香りの持続期間が短かった。
【００４５】
（２）耐擦過衝撃性
実施例１の芳香剤本体を２個準備し、１個は図１に示す構成を有する収納容器（サイズ：径２５ｍｍ×高さ１０ｍｍ、円形開口部径７ｍｍ）内に、緩衝部材（発泡ポリスチレンシート）を敷設した上に芳香剤本体を収納した。他の１個は、同収納容器内に直接収納した。作製した２個の携帯用芳香剤を上下左右に２時間激しく振とうさせた後、蓋をあけて芳香剤本体の状態を目視で観察した。
【００４６】
緩衝部材を敷設したものは変化がなかったが、緩衝部材を敷設していないものは、芳香剤本体の白色層が脱落して、黒色層が部分的に露出し、部分的には黒色層の欠けが見られた。そして、容器内壁面には酸化チタンと考えられる白粉が多量に付着し、炭化チタンと考えられる黒色粉も容器内に飛散していた。
【００４７】
【発明の効果】
本発明の携帯用芳香剤は、徐放性に優れているので、精油を希釈することなく直接芳香剤本体に含浸させて、長期間アロマテラピー、アロマコロジーに好適なレベルの芳香成分を揮散することができる。しかも、本発明の携帯用芳香剤は、容器内に芳香剤本体を固定保持しているので、芳香剤本体の形状、サイズにかかわらず、容器のデザインを自由に選ぶことが出来る。従って、本発明によれば、携帯用芳香剤の仕様に応じたデザインの携帯用芳香剤を提供できる。
【図面の簡単な説明】
【図１】本発明の一実施形態の携帯用芳香剤の構成を示す模式断面図である。
【図２】本発明の携帯用芳香剤に係る収納容器の他の実施例を示す図である。
【符号の説明】
１  芳香剤本体
２  硬質多孔体
２ａ  骨格
２ｂ  保護層
３  気孔
１０  収納容器
１１  収納部
１２、１２’  蓋部
１３  開口部
１５  凸部
２０  緩衝部材
【図１】
2005040207.tif 000003
【図２】
2005040207.tif 000004